(57)【特許請求の範囲】
【請求項１】
箱体から成る槽体１と、
槽体１の底部に開口されて槽体１内の排水を下流へと排水する排水口３１と、
排水口３１からの排水を下水管へと排水する排水トラップ２と、
排水口３１から排水トラップ２までの間を接続して構成される排水管経路３と、
から構成された排水構造において、
槽体１の上縁に水を一時的に退避させる水退避部４を構成し、
入り口側端部６１を排水管経路３の途中位置から分岐して接続し、出口側端部６２を前記水退避部４に接続される管体から成る空気抜き管経路６を備え、
当該空気抜き管経路６によって、排水管経路３内の空気を水退避部４へと排出するよう構成したことを特徴とする排水構造。
【請求項２】
前記排水口３１に配置されて排水口３１の開閉を行う弁体７１と、
前記弁体７１の開口／閉口を遠隔的に操作する操作部４と、
操作部４から弁体７１まで接続し、操作部４の操作を弁体７１に伝達するレリースワイヤ７２と、
から構成される遠隔操作式排水栓装置７を備えると共に、
前記操作部４を前記水退避部４に配置構成したことを特徴とする請求項１に記載の排水構造。
【請求項３】
箱体から成る槽体１と、
槽体１の底部に開口されて槽体１内の排水を下流へと排水する排水口３１と、
排水口３１からの排水を下水管へと排水する排水トラップ２と、
排水口３１から排水トラップ２までの間を接続して構成される排水管経路３と、
槽体１の上縁又は側面に開口する開口部５１と、
一端を開口部５１に接続し他端を排水管経路３に接続する管体５２と、
前記開口部５１から流入した排水を排水管経路３に排水する、前記開口部５１と管体５２で構成される第２排水管経路５と、
から構成された排水構造において、
入り口側端部６１を排水管経路３の途中位置から分岐して接続し、出口側端部６２を前記第２排水管経路５の経路上のいずれかに接続して構成した空気抜き管経路６を備え、
当該空気抜き気管経路６によって、排水管経路３に流入する空気を第二配管経路５へと排出するよう構成したことを特徴とする排水構造。
【請求項４】
前記排水口３１に配置されて排水口３１の開閉を行う弁体７１と、
前記弁体７１の開口／閉口を遠隔的に操作する操作部５１と、
操作部５１から弁体７１まで接続し、操作部５１の操作を弁体７１に伝達するレリースワイヤ７２と、
操作部５１から排水管経路３までを接続する筒状のチューブ管５２と、
から構成される遠隔操作式排水栓装置７を備えると共に、
前記操作部５１を第２排水管経路５の開口部５１に配置構成し、チューブ管５２を第２排水管経路５の管体５２とし、さらにレリースワイヤ７２を第２排水管経路５内に配置したことを特徴とする請求項３に記載の排水構造。
【請求項５】
前記槽体１の側面に開口した槽体１の溢れ水を排水するオーバーフロー開口５１と、
オーバーフロー開口５１から排水管経路３までを接続するオーバーフロー配管５２と、
前記オーバーフロー開口５１を第２排水管経路５の開口部５１に配置構成し、オーバーフロー配管５２を第２排水管経路５の管体５２としたことを特徴とする請求項３に記載の排水構造。
【請求項６】
前記開口部５１に、空気抜き管経路６の出口側端部６２を接続したことを特徴とする前記請求項３乃至請求項５のいずれか一つに記載の排水構造。
【請求項７】
前記管体５２に、空気抜き管経路６の出口側端部６２を接続したことを特徴とする前記請求項３乃至請求項５のいずれか一つに記載の排水構造。
【請求項８】
箱体から成る槽体１と、
槽体１の底部に開口されて槽体１内の排水を下流へと排水する排水口３１と、
排水口３１からの排水を下水管へと排水する排水トラップ２と、
排水口３１から排水トラップ２までの間を接続して構成される排水管経路３と、
から構成された排水構造において、
入り口側端部６１を排水管経路３の途中位置から分岐して接続し、出口側端部６２を前記排水トラップ２の封水より上流の箇所に接続して構成した空気抜き管経路６を備えて構成したことを特徴とする排水構造。
【請求項９】
前記空気抜き管経路６の入り口側端部６１を、排水管経路３の断面視略Ｌ字状からなるエルボ管３２に接続したことを特徴とする前記請求項１乃至請求項８のいずれか一つに記載の排水構造。
【発明の詳細な説明】
【技術分野】
【０００１】
本発明は、浴槽や流し台、洗面台や各種槽体の排水構造に関するものである。
【背景技術】
【０００２】
本従来例の排水構造は、浴槽と、洗い場パンと、浴槽パンと、から構成される浴室の排水構造として用いられる。
本実施例は、槽体としての浴槽と、浴槽パンと、洗い場パンと、排水口と、排水管経路と、排水トラップと、空気抜き管経路と、から構成される。
槽体は、浴室に設置する上面が開放された箱体の浴槽であって、底部に後述する排水口が開口されて成る。
浴槽パンは、上方に浴槽を載置する防水パンであって、底部に排水用の排水穴が開口されて成る。浴槽パンの排水穴には、断面視Ｌ字状に構成した排水受け部が構成されている。この排水受け部は、浴槽パン裏の排水穴に接続されて、後述の排水トラップまで接続されている。結果的に、浴槽からの排水と、浴槽パン上の排水を集水し、排水受け部から排水トラップまで排水する。
洗い場パンは、浴槽パンの横に載置している防水パンであって、使用者が体を洗うためのスペースをつくる。また、底部には排水用の排水穴が開口されており、後述する排水トラップが接続されて構成される。
排水口は、前記浴槽の底部に開口する排水用の穴であって、本従来例では円筒状で上端に外側方向に飛び出すフランジを有した排水栓を接続している。
排水管経路は、排水口から後述する洗い場パンに設置した排水トラップまでの経路をいう。本従来例では、排水口に取り付けた排水栓、排水栓から排水受け部までを接続した管体、排水受け部から排水トラップまでを指して排水管経路という。
また、排水管経路の管体は、排水栓から側方に延出し、浴槽パンの排水穴に接続するよう断面視Ｌ字状のエルボ管を介して排水受け部に排水穴を介して接続している。
排水管経路は、浴槽内の排水を排水トラップへと排水する為の部材である。
排水トラップは、洗い場パンの排水穴に取り付けられて、内部に封水を備えて下水管からの臭気や害虫を室内側へ逆流することを防止する部材である。また、排水トラップは、上面には洗い場パンからの排水が流入し、側面に構成された枝管には前記排水管経路である排水受け部が管体を介して接続されており、結果的に浴槽及び浴槽パンからの排水も流入する。また、排水トラップ内に流入した排水は、側面に構成した排出口から排出され、排出口に接続された排水管などを介して最終的には下水管へと排水される。
空気抜き管経路は、前記排水管経路の途中位置に接続される内部が中空の管体である。本従来例では、空気抜き管経路は浴槽パン内部に配置されており、入り口側端部を排水管経路の途中位置を分岐させて接続し、出口側端部を浴槽の上位箇所に相当する側面に取付けてなる。よって、空気抜き管経路の出口側端部は、浴槽パン上で開放されている。
また、この空気抜き管経路は、排水管経路に流入する空気を当該空気抜き管経路によって排水管経路外へと放出するための管路である。（特許文献１参照）
【０００３】
上記の従来例である排水構造は以下のような排水の流れとなる。
浴槽内に排水が発生すると、排水口に取りつけた排水栓から排水管経路内に排水される。また、排水管経路内の排水は、排水口、管体、エルボ管、排水受け部、管体を通過して排水トラップの枝管へと排水される。枝管から流入した排水トラップ内の排水は、封水を通過して、流出口から下水管へと排水される。
また、浴槽パン上に発生した排水は、浴槽パンの排水穴から排水受け部内に排水が流入し、管体を介して排水トラップ枝管から排水トラップ内へと排水され、排水トラップの封水を通過し流出口から排水トラップ外へと排水される。そして、最終的には下水管へと排水される。
また、空気抜き管経路は、排水管経路内部に排水中の空気が溜まった際、空気抜き管経路の開放端から外部に空気を排出する為の管路である。このように空気抜き管経路を構成することで、排水管経路中の空気が外部に放出されるので、空気によって阻害されていた排水の流れが円滑となり、排水流量が向上する。
【先行技術文献】
【特許文献】
【０００４】
【特許文献１】特開２００２−３８５６０号
【発明の概要】
【発明が解決しようとする課題】
【０００５】
従来例の排水構造では以下のような問題があった。
前記したように、排水管経路中に空気が溜まる空気溜まり現象が発生すると、（特に排水管経路の断面視Ｌ字状に屈曲したエルボ管等は空気が溜まりやすい）排水経路の通水面積が空気によって狭くなり、排水流量が極端に悪くなることがあった。この空気溜まりを解消する為に、空気抜き管経路を排水経路の途中位置に構成し、空気抜き管経路によって排水経路中の空気溜まりを空気抜きすることができる。
しかし、この空気抜き管経路は、上方が開放している為、仮に浴槽の側面に開放端を取り付け固定していたとしても、排水管経路中の排水の水圧の強さや排水の水流の強さによって、空気抜き管経路から排水がこぼれ落ちることがあった。また、浴槽の洗浄等で発生する洗剤の泡が排水管経路に混入すると、泡は水より比重が小さい為、泡のみが空気抜き管経路の開放端からあふれ出してしまう。
このように、空気抜き管経路から排水や泡が逆流してしまうと、浴槽パン上に排水や泡がこぼれ落ちることとなり、浴槽パンが汚染されてしまう。浴槽パン上が排水や泡で汚染されると汚れやヌメリ、カビの原因になり、悪臭の発生源となっていた。
また、この浴槽パンは、洗い場からエプロン部材を取り外すことで清掃することができるが、一般使用者にとってエプロンを取り外すことは重労働であり、また仮に取り外せたとしても浴槽パンは当然の如く浴槽が載置されている為、浴槽パン上の空間は狭く手が入りにくい。よって、一般使用者にとって浴槽パン上の清掃は非常に手間で煩わしかった。
また、例えば洗面台の洗面ボウルに用いられる場合や、浴槽パンが設置されていないタイプの浴室構造であれば、空気抜き管経路から排水や泡が逆流してこぼれてしまうと、室内空間である洗面台下のキャビネット空間であったり、浴室下の床に水がこぼれてしまう。このように床下に水がこぼれ落ちるような状況が発生すると、床が汚れるばかりか、階下への漏水が発生してしまう。よって、空気抜き管経路から水がこぼれおちないようにする必要があった。
【０００６】
以上のことから、本願発明は以下の課題を解決する。
１．排水中に空気が混入する場合に、排水管経路中に当該空気が溜まることで排水管経路の通水面積が空気で狭くなり、排水流量が悪くなることを防止する。
２．空気抜き管経路の出口側端部（開放端）から排水や泡がこぼれ落ちないようにする。また、仮にこぼれるとしても、洗面台のキャビネットや、浴室の浴槽パンの上など、排水や泡がこぼれ落ちることを前提としていない、又は、なるべくこぼれ落ちて欲しくない箇所でも、空気抜き管経路の出口側端部（開放端）から排水や泡がこぼれ落ちないようにする。
【課題を解決するための手段】
【０００７】
請求項１に記載の排水構造は、箱体から成る槽体１と、槽体１の底部に開口されて槽体１内の排水を下流へと排水する排水口３１と、排水口３１からの排水を下水管へと排水する排水トラップ２と、排水口３１から排水トラップ２までの間を接続して構成される排水管経路３と、から構成された排水構造において、槽体１の上縁に水を一時的に退避させる水退避部４を構成し、入り口側端部６１を排水管経路３の途中位置から分岐して接続し、出口側端部６２を前記水退避部４に接続される管体から成る空気抜き管経路６を備え、当該空気抜き管経路６によって、排水管経路３内の空気を水退避部４へと排出するよう構成したことを特徴とする排水構造である。
【０００８】
請求項２に記載の排水構造は、前記排水口３１に配置されて排水口３１の開閉を行う弁体７１と、前記弁体７１の開口／閉口を遠隔的に操作する操作部４と、操作部４から弁体７１まで接続し、操作部４の操作を弁体７１に伝達するレリースワイヤ７２と、から構成される遠隔操作式排水栓装置７を備えると共に、前記操作部４を前記水退避部４に配置構成したことを特徴とする段落０００７に記載の排水構造である。
【０００９】
請求項３に記載の排水構造は、箱体から成る槽体１と、槽体１の底部に開口されて槽体１内の排水を下流へと排水する排水口３１と、排水口３１からの排水を下水管へと排水する排水トラップ２と、排水口３１から排水トラップ２までの間を接続して構成される排水管経路３と、槽体１の上縁又は側面に開口する開口部５１と、一端を開口部５１に接続し他端を排水管経路３に接続する管体５２と、前記開口部５１から流入した排水を排水管経路３に排水する、前記開口部５１と管体５２で構成される第２排水管経路５と、から構成された排水構造において、入り口側端部６１を排水管経路３の途中位置から分岐して接続し、出口側端部６２を前記第２排水管経路５の経路上のいずれかに接続して構成した空気抜き管経路６を備え、当該空気抜き気管経路６によって、排水管経路３に流入する空気を第二配管経路５へと排出するよう構成したことを特徴とする排水構造である。
【００１０】
請求項４に記載の排水構造は、前記排水口３１に配置されて排水口３１の開閉を行う弁体７１と、前記弁体７１の開口／閉口を遠隔的に操作する操作部５１と、操作部５１から弁体７１まで接続し、操作部５１の操作を弁体７１に伝達するレリースワイヤ７２と、操作部５１から排水管経路３までを接続する筒状のチューブ管５２と、から構成される遠隔操作式排水栓装置７を備えると共に、前記操作部５１を第２排水管経路５の開口部５１に配置構成し、チューブ管５２を第２排水管経路５の管体５２とし、さらにレリースワイヤ７２を第２排水管経路５内に配置したことを特徴とする段落０００９に記載の排水構造である。
【００１１】
請求項５に記載の排水構造は、前記槽体１の側面に開口した槽体１の溢れ水を排水するオーバーフロー開口５１と、オーバーフロー開口５１から排水管経路３までを接続するオーバーフロー配管５２と、前記オーバーフロー開口５１を第２排水管経路５の開口部５１に配置構成し、オーバーフロー配管５２を第２排水管経路５の管体５２としたことを特徴とする段落０００９に記載の排水構造である。
【００１２】
請求項６に記載の排水構造は、前記開口部５１に、空気抜き管経路６の出口側端部６２を接続したことを特徴とする前記段落０００９乃至段落００１１のいずれか一つに記載の排水構造である。
【００１３】
請求項７に記載の排水構造は、前記管体５２に、空気抜き管経路６の出口側端部６２を接続したことを特徴とする前記段落０００９乃至段落００１１のいずれか一つに記載の排水構造である。
【００１４】
請求項８に記載の排水構造は、箱体から成る槽体１と、槽体１の底部に開口されて槽体１内の排水を下流へと排水する排水口３１と、排水口３１からの排水を下水管へと排水する排水トラップ２と、排水口３１から排水トラップ２までの間を接続して構成される排水管経路３と、から構成された排水構造において、入り口側端部６１を排水管経路３の途中位置から分岐して接続し、出口側端部６２を前記排水トラップ２の封水より上流の箇所に接続して構成した空気抜き管経路６を備えて構成したことを特徴とする排水構造である。
【００１５】
請求項９に記載の排水構造は、前記空気抜き管経路６の入り口側端部６１を、排水管経路３の断面視略Ｌ字状からなるエルボ管３２に接続したことを特徴とする前記段落０００７乃至段落００１４のいずれか一つに記載の排水構造である。
【発明の効果】
【００１６】
請求項１に記載の本発明は、槽体１の上縁に水を一時的に退避させる水退避部４を構成し、入り口側端部６１を排水管経路３の途中位置から分岐して接続し、出口側端部６２を前記水退避部４に接続される管体から成る空気抜き管経路６を備えたことから、排水管経路３中の空気を排水管経路３外へ排出することができるし、空気抜き管経路６から排水や泡があふれ出たとしても、水退避部４の中に水や泡が退避するので、空気抜き管経路６中の水や泡が床や防水パン上にあふれでるようなことがない。また、水退避部４中に一旦退避した排水や泡はそのまま空気抜き管経路６中に戻るか、そのまま水退避部４中で蒸発するので、水退避部４中にいつまでも水が貯留したままになることはない。
請求項２に記載の本発明は、遠隔操作式排水栓装置７を備え、前記操作部４を前記水退避部４に配置構成したことから、遠隔操作式排水栓装置７の操作部４に水退避部４を兼用させることができる。
請求項３に記載の本発明は、入り口側端部６１を排水管経路３の途中位置から分岐して接続し、出口側端部６２を前記第２排水管経路５の経路上のいずれかに接続して構成した空気抜き管経路６を備えたことから、排水管経路３中の空気を排水管経路３外へ排出することができるし、空気抜き管経路６から排水や泡があふれ出たとしても、第２排水管経路５の中に水や泡が流れ込むようになっているので、空気抜き管経路６中の水や泡が床や防水パン上にあふれでるようなことがない。また、第２排水管経路５に流入した排水や泡はそのまま第２排水管経路５を経由して排水管経路３に再流入し、最終的には排水トラップ２を介して下水管へと排水される。
請求項４に記載の本発明は、遠隔操作式排水栓装置７を備え、前記操作部５１を第２排水管経路５の開口部５１に配置構成し、チューブ管５２を第２排水管経路５の管体５２とし、さらにレリースワイヤ７２を第２排水管経路５内に配置したことから、遠隔操作式排水栓装置７のチューブ管５２を第２排水管経路５として使用することができる。
請求項５に記載の本発明は、前記オーバーフロー開口５１を第２排水管経路５の開口部５１に配置構成し、オーバーフロー配管５２を第２排水管経路５の管体５２としたことから、オーバーフロー装置のオーバーフロー配管５２を第２排水管経路５として使用することができる。
請求項６に記載の本発明は、前記開口部５１に、空気抜き管経路６の出口側端部６２を接続したことから、より空気抜き管経路６中の開放端部をより上位に設定することができる。
請求項７に記載の本発明は、前記管体５２に、空気抜き管経路６の出口側端部６２を接続したことから、空気抜き管経路６中に逆流した排水を第２排水管経路５中へと排水することができる。
請求項８に記載の本発明は、前記排水トラップ２の封水より上流の箇所に、空気抜き管経路６の出口側端部６２を接続したことから、空気抜き管経路６中に逆流した排水を排水トラップ２中へと直接的に排水することができる。
請求項９に記載の本発明は、前記空気抜き管経路６の入り口側端部６１を、排水管経路３の断面視略Ｌ字状からなるエルボ管３２に接続したことから、エルボ部分に貯留する空気を排水管経路３外へ円滑に排出することができる。
【図面の簡単な説明】
【００１７】
【図１】実施例１を示す洗面台の断面図である。
【図２】実施例２を示す浴室の排水構造の断面図である。
【図３】実施例３を示す浴室の排水構造の断面図である。
【図４】空気抜き管経路の出口側端部がチューブ管に接続されている、その他の実施例を示す浴室の排水構造の断面図である。
【図５】空気抜き管経路の出口側端部がオーバーフロー配管に接続されている、その他の実施例を示す浴室の排水構造の断面図である。
【図６】実施例３の形態を、洗面台において適用した状態を示し、更に空気抜き管経路の出口側端部がオーバーフロー開口に接続されている、その他の実施例を示す洗面台の断面図である。
【図７】実施例３の形態を、洗面台において適用した状態を示し、更に空気抜き管経路の出口側端部がオーバーフロー配管に接続されている、その他の実施例を示す洗面台の断面図である。
【図８】空気抜き管経路の出口側端部が排水トラップの封水より上流に接続されている、その他の実施例を示す浴室の排水構造の断面図である。
【図９】空気抜き管経路の出口側端部が排水受け部の蓋部材やフロート目皿、目皿などに接続されている、その他の実施例を示す浴室の排水構造の断面図である。
【発明を実施するための形態】
【実施例１】
【００１８】
本実施例の排水構造は、洗面ボウル１が構成される洗面台から構成される排水構造として用いられる。
本実施例は、図１に示すように、槽体１としての洗面ボウル１と、排水口３１と、排水管経路３と、排水トラップ２と、遠隔操作式排水栓装置７と、水退避部４と、空気抜き管経路６と、から構成される。
槽体１は、洗面台に設置する上面が開放された箱体の洗面ボウル１であって、底部に後述する排水口３１が開口されて成る。
排水口３１は、前記洗面ボウル１の底部に開口する排水用の穴であって、本実施例では円筒状で上端に外側方向に飛び出すフランジを有した排水栓を接続している。また、当該排水口３１には後述する遠隔操作式排水栓装置７の弁体７１が備えられている。
排水管経路３は、排水口３１から排水トラップ２までの経路をいう。本実施例では、排水口３１に取り付けた排水栓、排水栓から排水トラップ２までを接続した管体を指して排水管経路３という。
また、排水管経路３の管体は、排水栓から側方に延出し、断面視Ｌ字状のエルボ管３２を介して排水トラップ２に接続している。また、排水管経路３は、洗面ボウル１内の排水を排水トラップ２へと排水する為の部材である。
排水トラップ２は、管体を略Ｕ字状に屈曲させて内部に封水を備えて下水管からの臭気や害虫を室内側へ逆流することを防止する部材である。また、排水トラップ２内に流入した排水は、封水を介して最終的には下水管へと排水される。
遠隔操作式排水栓装置７は、弁体７１と、操作部４と、レリースワイヤ７２と、から構成される。
弁体７１は、排水口３１に備えられて排水口３１を開閉し、洗面ボウル１内の排水を排水／止水する部材であり、後述の操作部４の操作により弁体７１が上下動して排水口３１を開閉する。
操作部４は、洗面ボウル１の上縁部に構成される部材であって、弁体７１の開口／閉口を操作する部材である。本実施例では後述のレリースワイヤ７２のインナーワイヤの前進／後退の位置を保持するスラストロック機構を備える。
レリースワイヤ７２は、操作部４から排水口３１の弁体７１までを連絡し、操作部４の操作を弁体７１まで動力伝達する部材である。本実施例では、可撓性を有した中空の管体から成るアウターチューブと、アウターチューブ内を進退する、金属の圧縮コイルからなるインナーワイヤから構成する。操作部４を操作すると、レリースワイヤ７２のインナーワイヤがアウターチューブ内で前進し、弁体７１を排水口３１から押し上げ、操作部４のスラストロック部材がインナーワイヤの前進を保持することで、排水口３１の弁体７１は上昇状態で配置され、排水口３１が開口することとなる。また、操作部４を再度操作すると、今度はスラストロック機構の保持が解除され、レリースワイヤ７２内部に内臓されているリターンスプリングの力により、アウターチューブの中でインナーワイヤが後退する。そうすると、インナーワイヤの前進により上昇していた弁体７１が自重により下降し、排水口３１に着座する。弁体７１によって排水口３１を閉口することができる。
水退避部４は、洗面ボウル１上縁に構成され、前記遠隔操作式排水栓装置７の操作部４が内部に配置されて、底面側とは完全に縁切りされている凹スペースである。当該水退避部４は、後述の空気抜き管経路６の出口側端部６２が接続され、空気抜き管経路６から排水や泡が流れ込んだとしても、一時的に水退避部４に排水や泡を貯留し、時間が経過すれば空気抜き管経路６に再度流入させ、再度排水管経路３中に排水させるか、水退避部４内に残留した排水や泡は、蒸発したりすることができる。このような構成により、空気抜き管経路６中の排水や泡が、洗面ボウル１下のキャビネット内や、室内の床面にこぼれおちるようなことがない。
空気抜き管経路６は、前記排水管経路３の途中位置に接続される内部が中空の可撓性を有した管体である。本実施例では、空気抜き管経路６は排水管経路３中のエルボ管３２の角部分に入り口側端部６１を分岐させて接続し、出口側端部６２を水退避部４に接続して成る。よって、空気抜き管経路６の出口側端部６２は、水退避部４内に開放されて成る。
また、この空気抜き管経路６は、排水管経路３に流入する空気を当該空気抜き管経路６によって排水管経路３外へと放出するための管路である。
【００１９】
上記の実施例である排水構造は以下のような排水の流れとなる。
洗面ボウル１内に排水が発生し、使用者が操作部４を操作して排水口３１の弁体７１を上昇させると排水口３１が開口し、排水口３１に取りつけた排水栓から排水管経路３内に排水される。また、排水管経路３内の排水は、排水口３１、管体、エルボ管３２、を通過して排水トラップ２へと排水され、排水トラップ２内に流入した排水は、封水を通過し下水管へと排水される。
また、洗面ボウル１内に水を貯水したい場合は、操作部４を再度操作して、排水口３１の弁体７１を下降させ、排水口３１に着座させて排水口３１を閉口する。そうすると、洗面ボウル１内に水を貯水することができる。
また、空気抜き管経路６は、排水管経路３内部に排水中の空気が溜まった際、空気抜き管経路６の入り口側端部６１から出口側端部６２を経由して排水管経路３の外部、具体的には水退避部４に空気を排出する。このとき、排水中の、特にエルボ部分に空気溜まりは発生しやすいが、エルボ管３２の角部に空気抜き管経路６の入り口側端部６１を構成しているので、円滑に空気抜きが達成できる。
また、空気抜き管経路６中の空気は、水退避部４から外部に放出される。
そして、空気抜き管経路６から逆流した排水や泡は、水退避部４内に一時的に退避され、排水管経路３中の排水が終了したらそのまま空気抜き管経路６の出口側端部６２から入り口側端部６１までを流下し、排水管経路３に再流入することができる。また、仮に空気抜き管経路６から排水することが出来なかったとしても、水退避部４内で、そのまま蒸発させることができる。
このように空気抜き管経路６を構成することで、排水管経路３中の空気が外部に放出されるので、空気によって阻害されていた排水の流れが円滑となり、排水流量が向上する。
また、空気抜き管経路６は出口側端部６２が水退避部４に接続されているので、空気抜き管経路６から排水や泡が逆流したとしても、室内側に水や泡がこぼれ落ちて床面を汚すことがない。
【実施例２】
【００２０】
本実施例の排水構造は、浴槽１と、洗い場パン８と、浴槽パン９と、から構成される浴室の排水構造として用いられる。
本実施例は、図２に示すように、槽体１としての浴槽１と、浴槽パン９と、洗い場パン８と、排水口３１と、排水管経路３と、排水トラップ２と、遠隔操作式排水栓装置７と、第２排水管経路５と、開口部５１と、空気抜き管経路６と、から構成される。
槽体１は、浴室に設置する上面が開放された箱体の浴槽１であって、底部に後述する排水口３１が開口されて成る。
浴槽パン９は、上方に浴槽１を載置する防水パンであって、底部に排水用の排水穴が開口されて成る。浴槽パン９の排水穴には、断面視Ｌ字状に構成した排水受け部が構成されている。この排水受け部は、浴槽パン９裏の排水穴に接続されて、後述の排水トラップ２まで接続されている。結果的に、浴槽１からの排水と、浴槽パン９上の排水を集水し、排水受け部から排水トラップ２まで排水する。
洗い場パン８は、浴槽パン９の横に載置している防水パンであって、使用者が体を洗うためのスペースをつくる。また、底部には排水用の排水穴が開口されており、後述する排水トラップ２が接続されて構成される。
排水口３１は、前記浴槽１の底部に開口する排水用の穴であって、本実施例では円筒状で上端に外側方向に飛び出すフランジを有した排水栓を接続している。また、当該排水口３１には後述する遠隔操作式排水栓装置７の弁体７１が備えられている。
排水管経路３は、排水口３１から後述する洗い場パン８に設置した排水トラップ２までの経路をいう。本実施例では、排水口３１に取り付けた排水栓、排水栓から排水受け部までを接続した管体、排水受け部から排水トラップ２までを指して排水管経路３という。
また、排水管経路３の管体は、排水栓から側方に延出し、浴槽パン９の排水穴に接続するよう断面視Ｌ字状のエルボ管３２を介して排水受け部に排水穴を介して接続している。
排水管経路３は、浴槽１内の排水を排水トラップ２へと排水する為の部材である。
排水トラップ２は、洗い場パン８の排水穴に取り付けられて、内部に封水を備えて下水管からの臭気や害虫を室内側へ逆流することを防止する部材である。また、排水トラップ２は、上面には洗い場パン８からの排水が流入し、側面に構成された枝管には前記排水管経路３である排水受け部が管体を介して接続されており、結果的に浴槽１及び浴槽パン９からの排水も流入する。また、排水トラップ２内に流入した排水は、側面に構成した排出口から排出され、排出口に接続された排水管などを介して最終的には下水管へと排水される。
遠隔操作式排水栓装置７は、弁体７１と、操作部５１と、チューブ管５２と、レリースワイヤ７２と、から構成される。
弁体７１は、排水口３１に備えられて排水口３１を開閉し、浴槽１内の排水を排水／止水する部材であり、後述の操作部５１の操作により弁体７１が上下動して排水口３１を開閉する。
操作部５１は、浴槽１の上縁部に構成される部材であって、弁体７１の開口／閉口を操作する部材である。本実施例では後述のレリースワイヤ７２のインナーワイヤの前進／後退の位置を保持するスラストロック機構を備える。また、後述の開口部５１にフランジとナットで挟持して取り付けられる。
チューブ管５２は管体５２であって、操作部５１から排水栓までを水密的に接続するチューブ状の管体であって、内部にレリースワイヤ７２を挿通配置する。
レリースワイヤ７２は、管体５２内部に配置されて、操作部５１から排水口３１の弁体７１までを連絡し、操作部５１の操作を弁体７１まで動力伝達する部材である。本実施例では、可撓性を有した中空の管体から成るアウターチューブと、アウターチューブ内を進退する、金属の圧縮コイルからなるインナーワイヤから構成する。操作部５１を操作すると、レリースワイヤ７２のインナーワイヤがアウターチューブ内で前進し、弁体７１を排水口３１から押し上げ、操作部５１のスラストロック部材がインナーワイヤの前進を保持することで、排水口３１の弁体７１は上昇状態で配置され、排水口３１が開口することとなる。また、操作部５１を再度操作すると、今度はスラストロック機構の保持が解除され、レリースワイヤ７２内部に内臓されているリターンスプリングの力により、アウターチューブの中でインナーワイヤが後退する。そうすると、インナーワイヤの前進により上昇していた弁体７１が自重により下降し、排水口３１に着座する。弁体７１によって排水口３１を閉口することができる。
開口部５１は、浴槽１上縁に開口する穴であって、前記遠隔操作式排水栓装置７の操作部５１が水密的に取り付けられる。
第２排水管経路５は、前記開口部５１、チューブ管５２から構成される経路であって、本実施例では、遠隔操作式排水栓装置７のレリースワイヤ７２が配置される。また、本第２排水管経路５は、浴槽１上縁から開口部５１を介して操作部５１内に流入する排水を排水管経路３中に排水する。また、後述の空気抜き管経路６からの排水も、第２排水管経路５から排水管経路３へと排水される。
空気抜き管経路６の入り口側端部６１は、前記排水管経路３のエルボ管３２の角部に接続される、内部が中空であって、可撓性を有した管体である。本実施例では、空気抜き管経路６は浴槽パン９内部に配置されており、入り口側端部６１を排水管経路３の途中位置を分岐させて接続し、出口側端部６２を開口部５１に取り付けた操作部５１に水密的に接続されて成る。よって、空気抜き管経路６の出口側端部６２は、開口部５１である操作部５１内で開放されている。
また、この空気抜き管経路６は、排水管経路３に流入する空気を当該空気抜き管経路６によって排水管経路３外へと放出するための管路である。
【００２１】
上記の実施例である排水構造は以下のような排水の流れとなる。
浴槽１内に排水が発生し、使用者が操作部５１を操作して排水口３１の弁体７１を上昇させると排水口３１が開口し、排水口３１に取りつけた排水栓から排水管経路３内に排水される。また、排水管経路３内の排水は、排水口３１に取り付けた排水栓、排水栓から排水受け部３３までを接続した管体、排水受け部３３から排水トラップ２までを通過して排水トラップ２へと排水され、排水トラップ２内に流入した排水は、封水を通過し下水管へと排水される。
また、浴槽１内に水を貯水したい場合は、操作部５１を再度操作して、排水口３１の弁体７１を下降させ、排水口３１に着座させて排水口３１を閉口する。そうすると、浴槽１内に水を貯水することができる。
また、空気抜き管経路６は、排水管経路３内部に排水中の空気が溜まった際、空気抜き管経路６の入り口側端部６１から出口側端部６２を経由して排水管経路３の外部（操作部５１）に空気を排出する。このとき、排水中の、特にエルボ管３２部分に空気溜まりは発生しやすいが、エルボ管３２の角部に空気抜き管経路６の入り口側端部６１を構成しているので、円滑に空気抜きが達成できる。
また、空気抜き管経路６中の空気は、開口部５１に設置された操作部５１から排水管経路３の外部に放出される。
そして、空気抜き管経路６から逆流した排水や泡は、開口部５１に設置された操作部５１から第２排水管経路５中に流入し、そのまま第２排水管経路５である管体５２を流下し、排水管経路３に再流入することができる。
このように空気抜き管経路６を構成することで、排水管経路３中の空気が外部に放出されるので、空気によって阻害されていた排水の流れが円滑となり、排水流量が向上する。
また、空気抜き管経路６の出口側端部６２は開口部５１に設置された操作部５１に接続されているので、空気抜き管経路６から排水や泡が逆流したとしても、第２排水管経路５から排水管経路３へと排水されるので、室内側に水や泡がこぼれ落ちて浴槽パン９を汚すことがない。
【実施例３】
【００２２】
本実施例の排水構造は、浴槽１と、洗い場パン８と、浴槽パン９と、から構成される浴室の排水構造として用いられる。
本実施例は、図３に示すように、槽体１としての浴槽１と、浴槽パン９と、洗い場パン８と、排水口３１と、排水管経路３と、排水トラップ２と、オーバーフロー装置と、開口部５１と、第２排水管経路５と、空気抜き管経路６と、から構成される。
槽体１は、浴室に設置する上面が開放された箱体の浴槽１であって、底部に後述する排水口３１が開口されて成る。
浴槽パン９は、上方に浴槽１を載置する防水パンであって、底部に排水用の排水穴が開口されて成る。浴槽パン９の排水穴には、断面視Ｌ字状に構成した排水受け部３３が構成されている。この排水受け部３３は、浴槽パン９裏の排水穴に接続されて、後述の排水トラップ２まで接続されている。結果的に、浴槽１からの排水と、浴槽パン９上の排水を集水し、排水受け部３３から排水トラップ２まで排水する。
洗い場パン８は、浴槽パン９の横に載置している防水パンであって、使用者が体を洗うためのスペースをつくる。また、底部には排水用の排水穴が開口されており、後述する排水トラップ２が接続されて構成される。
排水口３１は、前記浴槽１の底部に開口する排水用の穴であって、本実施例では円筒状で上端に外側方向に飛び出すフランジを有した排水栓を接続している。
排水管経路３は、排水口３１から後述する洗い場パン８に設置した排水トラップ２までの経路をいう。本実施例では、排水口３１に取り付けた排水栓、排水栓から排水受け部３３までを接続した管体、排水受け部３３から排水トラップ２までを指して排水管経路３という。
また、排水管経路３の管体は、排水栓から側方に延出し、浴槽パン９の排水穴に接続するよう断面視Ｌ字状のエルボ管３２を介して排水受け部３３に排水穴を介して接続している。
排水管経路３は、浴槽１内の排水を排水トラップ２へと排水する為の部材である。
排水トラップ２は、洗い場パン８の排水穴に取り付けられて、内部に封水を備えて下水管からの臭気や害虫を室内側へ逆流することを防止する部材である。また、排水トラップ２は、上面には洗い場パン８からの排水が流入し、側面に構成された枝管には前記排水管経路３である排水受け部３３が管体を介して接続されており、結果的に浴槽１及び浴槽パン９からの排水も流入する。また、排水トラップ２内に流入した排水は、側面に構成した排出口から排出され、排出口に接続された排水管などを介して最終的には下水管へと排水される。
オーバーフロー装置は、オーバーフロー開口５１と、オーバーフロー配管５２と、から構成され、槽体１内の水が浴槽１上縁部からあふれ出さないようにする配管であって、排水管経路３に接続される。
オーバーフロー開口５１は、浴槽１の側面上位に構成される開口であって、オーバーフロー配管５２が接続される。本実施例では断面視Ｌ字状のエルボ管３２から成る。また、後述する開口部５１に接続される。
オーバーフロー配管５２は、管体５２であって、前記のオーバーフロー開口５１に上流が接続され、下流の端部を排水管経路３に接続する。オーバーフロー配管５２は、オーバーフロー開口５１から流入した排水を排水管経路３に排水する部材である。
開口部５１は、浴槽１側面の上位に開口する穴であって、前記オーバーフロー装置のオーバーフロー開口５１が水密的に取り付けられる。
第２排水管経路５は、前記開口部５１であるオーバーフロー開口５１と、管体５２であるオーバーフロー配管５２から構成される経路であって、浴槽１の溢れ水を開口部５１を介してオーバーフロー開口５１を通過し、管体５２であるオーバーフロー配管５２を通過させて排水管経路3中に排水する。また、後述の空気抜き管経路６からの排水も、第２排水管経路５から排水管経路３へと排水される。
空気抜き管経路６は、前記排水管経路３のエルボ管３２に接続される内部が中空の管体である。本実施例では、空気抜き管経路６は浴槽パン９内部に配置されており、入り口側端部６１を排水管経路３であるエルボ管３２の途中位置を分岐させて接続し、出口側端部６２を開口部５１であるオーバーフロー開口５１に水密的に接続して成る。よって、空気抜き管経路６の出口側端部６２は、開口部５１で開放されている。
また、この空気抜き管経路６は、排水管経路３に流入する空気を当該空気抜き管経路６の入り口側端部６１から出口側端部６２を経由することによって排水管経路３外へと放出するための管路である。
【００２３】
上記の実施例である排水構造は以下のような排水の流れとなる。
浴槽１内に排水が発生すると、排水口３１に取りつけた排水栓から排水管経路３内に排水される。また、排水管経路３内の排水は、排水口３１に取り付けた排水栓、排水栓から排水受け部３３までを接続した管体、排水受け部３３から排水トラップ２までを通過して排水トラップ２へと排水され、排水トラップ２内に流入した排水は、封水を通過し下水管へと排水される。
また、空気抜き管経路６は、排水管経路３内部に排水中の空気が溜まった際、空気抜き管経路６の入り口側端部６１から出口側端部６２方向へ排水管経路３空気を外部へ排出する。このとき、排水中の、特にエルボ管３２部分に空気溜まりは発生しやすいが、エルボ管３２の角部に空気抜き管経路６を構成しているので、円滑に空気抜きが達成できる。
また、空気抜き管経路６中の空気は、出口側端部６２を経由してオーバーフロー開口５１から排水管経路３の外部に放出される。
そして、空気抜き管経路６から逆流した排水や泡は、開口部５１に設置されたオーバーフロー開口５１から第２排水管経路５中に流入し、そのまま第２排水管経路５である管体５２を流下し、排水管経路３に再流入することができる。
このように空気抜き管経路６を構成することで、排水管経路３中の空気が外部に放出されるので、空気によって阻害されていた排水の流れが円滑となり、排水流量が向上する。
また、空気抜き管経路６の出口側端部６２は開口部５１に設置されたオーバーフロー開口５１に接続されているので、空気抜き管経路６の入り口側端部６１から排水や泡が逆流したとしても、第２排水管経路５から排水管経路３へと排水されるので、室内側に水や泡がこぼれ落ちて浴槽パン９を汚すことがない。
【００２４】
本発明は前記した実施例のほか、特許請求の範囲を越えない範囲で適宜変更は可能である。
前記第２実施例では、空気抜き管経路６の出口側端部を開口部５１である遠隔操作式排水栓装置７の操作部５１に接続しているが、図４に示すように第２排水管経路５中の管体５２に接続してもかまわない。
前記第３実施例では、空気抜き管経路６の出口側端部６２を開口部５１であるオーバーフロー装置のオーバーフロー開口５１に接続しているが、図５に示すように、第２排水管経路５の管体５２であるオーバーフロー配管５２に接続してもかまわない。
また、第３実施例では、浴槽１のオーバーフロー装置に空気抜き管経路６を接続しているが、図６及び図７に示すように洗面台における洗面ボウル１のオーバーフロー装置に構成しても良い。なお、このときの空気抜き管の出口側端部６２の接続先は、図６に示すようにオーバーフロー開口５１であってもよいし、図７に示すようにオーバーフロー配管５２に接続しても良い。
また、このほか、空気抜き管経路６の出口側端部６２を、図８に示すように排水トラップ２の封水より上流に接続しても構わない。
また、空気抜き管経路６の出口側端部６２を、図９に示すように排水受け部３３に取り付けられる、目皿部材やフロート弁付き蓋、密閉蓋等に接続しても構わない。
また、前記実施例では、排水管経路３と空気抜き管経路６の接続箇所について、エルボ管３２の角部と記載してるが、これはエルボ管３２の上側であれば良い。また、エルボ管３２の上面であれば尚良い。
【符号の説明】
【００２５】
１    槽体、浴槽、洗面ボウル
２    排水トラップ
３    排水管経路
３１  排水口
３２  エルボ管
３３  排水受け部
４    水退避部、操作部
５    第２排水管経路
５１  開口部、操作部、オーバーフロー開口
５２  管体、チューブ管、オーバーフロー配管
６    空気抜き管経路
６１  入り口側端部
６２  出口側端部
７    遠隔操作式排水栓装置
７１  弁体
７２  レリースワイヤ
８    洗い場パン
９    浴槽パン
【図１】
0006564985.tif 000002
【図２】
0006564985.tif 000003
【図３】
0006564985.tif 000004
【図４】
0006564985.tif 000005
【図５】
0006564985.tif 000006
【図６】
0006564985.tif 000007
【図７】
0006564985.tif 000008
【図８】
0006564985.tif 000009
【図９】
0006564985.tif 000010